(57)【要約】【課題】本発明は、受信した信号の変調精度の劣化（ベクトルエラーの増大）を低減する無線通信機器を提供することを目的とする。【解決手段】本発明の携帯電話機１は、受信した信号のうち妨害信号を減衰させるフィルタ（ＩＦフィルタ１３５、アクティブフィルタ１３８）と、受信した信号についてフィルタ（ＩＦフィルタ１３５、アクティブフィルタ１３８）を経由させた上でＤＵ比を測定し、受信した信号についてフィルタ（ＩＦフィルタ１３５、アクティブフィルタ１３８）を経由させずにＤＵ比を測定し、互いのＤＵ比の差分が所定値以内である場合には、以後、受信した信号についてフィルタ（ＩＦフィルタ１３５、アクティブフィルタ１３８）を経由させないようにフィルタ（ＩＦフィルタ１３５、アクティブフィルタ１３８）を制御する制御部１５０と、を備える。【選択図】図１
2015046831.tif 000002
【特許請求の範囲】
【請求項１】
信号を受信する受信部と、
前記受信部により受信した信号のうち妨害信号を減衰させるフィルタと、
受信した信号について前記フィルタを経由させた上でＤＵ比を測定し、受信した信号について前記フィルタを経由させずにＤＵ比を測定し、互いのＤＵ比の差分が所定値以内である場合には、以後、受信した信号について前記フィルタを経由させないように前記フィルタを制御する制御部と、を備える無線通信機器。
【請求項２】
信号を受信する受信部と、
前記受信部により受信した信号のうち妨害信号を減衰させるフィルタと、
受信した信号について前記フィルタを経由させた上でＤＵ比を測定し、当該ＤＵ比が所定値以上である場合には、以後、受信した信号について前記フィルタを経由させないように前記フィルタを制御する制御部と、を備える無線通信機器。
【請求項３】
信号を受信する受信部と、
前記受信部により受信した信号のうち妨害信号を減衰させるフィルタと、
受信した信号について前記フィルタを経由させずに当該信号の波形を測定し、当該信号の波形が正常な波形であると判定した場合には、以後、受信した信号について前記フィルタを経由させないように前記フィルタを制御する制御部と、を備える無線通信機器。
【請求項４】
前記制御部は、前記信号の波形において、当該波形のピークとそれ以外の部分との電圧値の差が所定値以上である場合に、正常な波形であると判定する請求項３に記載の無線通信機器。
【請求項５】
信号を受信する受信部と、
前記受信部により受信した信号のうち妨害信号を減衰させるフィルタと、
受信した信号について受信電界強度を測定し、当該測定された受信電界強度が所定の条件を満たす場合には、以後、受信した信号について前記フィルタを経由させないように制御する制御部と、を備える無線通信機器。
【請求項６】
前記フィルタは、第１フィルタと第２フィルタとを含み、
前記制御部は、前記互いのＤＵ比の差分に応じて受信した信号について前記第１フィルタを経由させるか及び前記第２フィルタを経由させるかを制御する請求項１に記載の無線通信機器。
【請求項７】
信号を受信する受信部と、
前記受信部により受信した信号のうち妨害信号を減衰させるフィルタと、
受信した信号を減衰させる減衰器と、
受信した信号についてＦＥＲを測定した後、当該測定後に受信した信号を前記減衰器によって減衰させた上でＦＥＲを測定し、先に測定したＦＥＲと後に測定したＦＥＲとの差異に応じて受信した信号について前記フィルタを経由させるか否かを制御する制御部と、を備える無線通信機器。
【発明の詳細な説明】
【技術分野】
【０００１】
本発明は、無線通信機器に関する。
【背景技術】
【０００２】
従来から、基地局から受信した信号を処理する際に、当該受信した信号のうち目的周波数帯域以外の周波数帯域における妨害信号を減衰させるフィルタを受信回路に備える無線通信機器が存在する。このような無線通信機器は、受信した信号についてフィルタを経由させることで、当該信号のうちの妨害信号を減衰させ、信号品質の劣化を低減する。
【先行技術文献】
【特許文献】
【０００３】
特開平１０−２３３７４６
【発明の概要】
【発明が解決しようとする課題】
【０００４】
しかし、受信した信号についてフィルタを経由させると、当該受信した信号のうち目的周波数帯域内の振幅偏差、群遅延偏差が拡大することで、当該信号の変調精度が劣化（ベクトルエラーが増大）し、受信エラーが増大する虞がある。
【０００５】
従って、本発明は、受信した信号の変調精度の劣化（ベクトルエラーの増大）を低減する無線通信機器を提供することを目的とする。
【課題を解決するための手段】
【０００６】
本発明の無線通信機器は、信号を受信する受信部と、前記受信部により受信した信号のうち妨害信号を減衰させるフィルタと、受信した信号について前記フィルタを経由させた上でＤＵ比を測定し、受信した信号について前記フィルタを経由させずにＤＵ比を測定し、互いのＤＵ比の差分が所定値以内である場合には、以後、受信した信号について前記フィルタを経由させないように前記フィルタを制御する制御部と、を備える。
【０００７】
本発明の無線通信機器は、信号を受信する受信部と、前記受信部により受信した信号のうち妨害信号を減衰させるフィルタと、受信した信号について前記フィルタを経由させた上でＤＵ比を測定し、当該ＤＵ比が所定値以上である場合には、以後、受信した信号について前記フィルタを経由させないように前記フィルタを制御する制御部と、を備える。
【０００８】
本発明の無線通信機器は、信号を受信する受信部と、前記受信部により受信した信号のうち妨害信号を減衰させるフィルタと、受信した信号について前記フィルタを経由させずに当該信号の波形を測定し、当該信号の波形が正常な波形であると判定した場合には、以後、受信した信号について前記フィルタを経由させないように前記フィルタを制御する制御部と、を備える。
【０００９】
好適には、前記制御部は、前記信号の波形において、当該波形のピークとそれ以外の部分との電圧値の差が所定値以上である場合に、正常な波形であると判定する。
【００１０】
本発明の無線通信機器は、信号を受信する受信部と、前記受信部により受信した信号のうち妨害信号を減衰させるフィルタと、受信した信号について受信電界強度を測定し、当該測定された受信電界強度が所定の条件を満たす場合には、以後、受信した信号について前記フィルタを経由させないように制御する制御部と、を備える。
【００１１】
好適には、前記フィルタは、第１フィルタと第２フィルタとを含み、前記制御部は、前記互いのＤＵ比の差分に応じて受信した信号について前記第１フィルタを経由させるか及び前記第２フィルタを経由させるかを制御する。
【００１２】
本発明の無線通信機器は、信号を受信する受信部と、前記受信部により受信した信号のうち妨害信号を減衰させるフィルタと、受信した信号を減衰させる減衰器と、受信した信号についてＦＥＲを測定した後、当該測定後に受信した信号を前記減衰器によって減衰させた上でＦＥＲを測定し、先に測定したＦＥＲと後に測定したＦＥＲとの差異に応じて受信した信号について前記フィルタを経由させるか否かを制御する制御部と、を備える。
【発明の効果】
【００１３】
本発明によって、受信した信号の変調精度の劣化（ベクトルエラーの増大）を低減する無線通信機器を提供することができる。
【図面の簡単な説明】
【００１４】
【図１】本発明の携帯電話機１００と基地局２００とを構成する通信システム１０を示す図である。
【図２】本発明の携帯電話機１００の回路の第１構成例を示す図である。
【図３】本発明の携帯電話機１００の回路の第２構成例を示す図である。
【図４】本発明の携帯電話機１００の第５実施例を示すシーケンス図である。
【発明を実施するための形態】
【００１５】
本発明について、本発明の無線通信機器の一実施例である携帯電話機１００を用いて以下に説明する。
【００１６】
図１は、携帯電話機１００と基地局２００とを構成する通信システム１０を示す図である。
【００１７】
携帯電話機１００は、基地局２００を介して他の通信機器に対してデータを送信し、又は基地局２００を介して他の通信機器からデータを受信するために、基地局２００と通信する。携帯電話機１００は、基地局２００と通信を開始する際に、基地局２００から制御チャネルで制御信号を受信する。なお、携帯電話機１００が通信するのは基地局２００に限られず、その他の外部機器であってもよい。
【００１８】
図２は、携帯電話機１００の回路の第１構成例を示す図である。
【００１９】
携帯電話機１００は、アンテナ１１０と、第１スイッチ１２０と、受信回路１３０と、送信回路１４０と、制御部１５０と、記憶部１６０とを備える。なお、図示しないが、携帯電話機１００は、バッテリ、カメラ、ＬＣＤ、操作キー、タッチパネル等を備えていてもよい。
【００２０】
アンテナ１１０は、受信回路１３０及び送信回路１４０で共用されているが、これに限られず、受信回路１３０及び送信回路１４０用にそれぞれ１つずつ備えられていてもよい。
【００２１】
第１スイッチ１２０は、アンテナ１１０と接続する回路を切り替えるスイッチである。具体的には、第１スイッチ１２０は、アンテナ１１０と受信回路１３０と接続するか、アンテナ１１０と送信回路１４０と接続するかを切り替えるスイッチである。第１スイッチ１２０は、制御部１５０からの指示に応じて、アンテナ１１０と接続する回路を切り替える。
【００２２】
受信回路１３０は、ＴＯＰフィルタ１３１と、ＬＮＡ１３２と、ミキサ１３３と、第２スイッチ１３４と、ＩＦフィルタ（第１フィルタ）１３５と、中間周波数変換ＩＣ１３６と、を備える。
【００２３】
ＴＯＰフィルタ１３１は、ＳＡＷフィルタ等で構成され、入力された信号のうちイメージ周波数（影像周波数）等の受信周波数（ＲＦ）帯域から離れた周波数の信号を減衰（除去）させるフィルタであり、例えばバンドバスフィルタ（ＢＰＦ）やローパスフィルタ（ＬＰＦ）等である。
【００２４】
ＬＮＡ１３２は、入力された信号を増幅するローノイズアンプ（Ｌｏｗ  Ｎｏｉｓｅ  Ａｍｐｌｉｆｉｅｒ）であり、ＴＯＰフィルタ１３１から出力された信号を増幅する。
【００２５】
ミキサ１３３は、信号の周波数をダウンコンバート（周波数変換）して中間周波数（Ｉｎｔｅｒｍｅｄｉａｔｅ  Ｆｒｅｑｕｅｎｃｙ：ＩＦ）に変換するものであり、ＬＮＡ１３２から出力された信号の周波数を中間周波数に変換する。ここでいう中間周波数は、例えば、２４３．９５ＭＨｚである。
【００２６】
第２スイッチ１３４は、ミキサ１３３から出力された信号を、ＩＦフィルタ１３５に出力するか、又はＩＦフィルタ１３５を経由させずに中間周波数変換ＩＣ１３６に出力するかを切り替えるスイッチである。第２スイッチ１３４は、制御部１５０からの指示に応じて、ミキサ１３３から出力された信号の出力先を切り替える。ミキサ１３３から出力された信号は、第２スイッチ１３４がＯＮの場合にはＩＦフィルタ１３５に出力され、第２スイッチ１３４がＯＦＦの場合にはＩＦフィルタ１３５を経由せずに中間周波数変換ＩＣ１３６に出力される。
【００２７】
ＩＦフィルタ１３５は、ＳＡＷフィルタ等で構成され、入力された信号のうち中間周波数帯以外の不要信号及び妨害信号を減衰させるフィルタであり、第２スイッチ１３４から出力された信号のうち中間周波数帯以外の信号を減衰させる。また、ＩＦフィルタ１３５における中間周波数帯以外の不要信号及び妨害信号の減衰量は定められており、例えば、２５ｄＢである。
【００２８】
中間周波数変換ＩＣ１３６は、ミキサ１３７と、アクティブフィルタ１３８とを備える。
【００２９】
ミキサ１３７は、ＩＦフィルタ１３５から出力された信号若しくは第２スイッチ１３４から出力された信号の周波数を中間周波数より低周波数に変換する。低周波数とは、具体的には、例えば、１．２ＭＨｚである。
【００３０】
アクティブフィルタ１３８は、ＯＰアンプ等を使用し、ミキサ１３７から出力された信号のうち高周波数帯域以外の不要信号及び妨害信号を減衰させ、信号を制御部１５０へ出力する。アクティブフィルタ１３８における不要信号及び妨害信号の減衰量は予め定められており、例えば、１５ｄＢである。なお、信号を制御部１５０へ出力する前にＡＤ変換した上で制御部１５０へ出力してもよい。
【００３１】
アクティブフィルタ１３８は、制御部１５０からの指示に応じてＯＮ、ＯＦＦを切り替える。ミキサ１３７から出力された信号は、アクティブフィルタ１３８がＯＮの場合、アクティブフィルタ１３８によって不要信号及び妨害信号が減衰され、アクティブフィルタ１３８がＯＦＦの場合、アクティブフィルタ１３８によって不要信号及び妨害信号が減衰されない。
【００３２】
なお、アクティブフィルタ１３８は、デジタルフィルタでもよく、アクティブフィルタ１３８がデジタルフィルタの場合には、アクティブフィルタ１３８に信号を入力する前に当該信号をＡＤ（アナログデジタル）変換するためのＡＤ変換部を設ける。
【００３３】
また、アクティブフィルタ１３８は、中間周波数変換ＩＣ１３６に内蔵されているが、これに限られず、制御部１５０に内蔵されていてもよい。
【００３４】
また、中間周波数変換ＩＣ１３６は、第２スイッチ１３４からＩＦフィルタ１３５を経由せずに出力された信号若しくはＩＦフィルタ１３５から出力された信号のＲＳＳＩ（受信信号強度）を測定し、その測定結果を制御部１５０へ出力してもよい。
【００３５】
送信回路１４０は、基地局２００に対して信号を送信する際に、制御部１５０から出力された信号について、変調、周波数変換、不要信号及び妨害信号の減衰、増幅を行った上で、当該信号を第１スイッチ１２０に出力する。第１スイッチ１２０に出力された信号は、アンテナ１１０から基地局２００へ送信される。
【００３６】
また、受信回路１３０及び送信回路１４０は、例えば、スーパーヘテロダイン方式に対応している。
【００３７】
制御部１５０は、例えば、ＩＣ、ＣＰＵ等によって構成される。制御部１５０は、受信回路１３０から出力される信号を受信し、又、基地局２００へ送信する信号を送信回路１４０へ出力する。また、制御部１５０は、第１スイッチ１２０、第２スイッチ１３４、アクティブフィルタ１３８のＯＮ／ＯＦＦの切り替えを指示する。
【００３８】
次に、制御部１５０は、第２スイッチ１３４及びアクティブフィルタ１３８がＯＦＦの状態で、すなわち、アンテナ１１０で受信した信号がＩＦフィルタ１３５及びアクティブフィルタ１３８を経由しない状態で、受信回路１３０から出力された信号のＤＵ比（Ｄｅｓｉｒｅｄ  ｔｏ  Ｕｎｄｅｓｉｒｅｄ  ｒａｔｉｏ）を測定する。その後、制御部１５０は、第２スイッチ１３４及びアクティブフィルタ１３８がＯＮの状態に切り替え、すなわち、アンテナ１１０で受信した信号についてＩＦフィルタ１３５及びアクティブフィルタ１３８を経由させる状態に切り替え、受信回路１３０から出力された信号のＤＵ比を測定する。ここで、ＤＵ比は、受信回路１３０から出力された信号のうち希望信号のレベル（例えば、ＲＳＳＩ）と妨害信号のレベル（例えば、ＲＳＳＩ）の比である。また、制御部１５０は、中間周波数変換ＩＣ１３６から出力された信号のＲＳＳＩに基づいて、受信回路１３０から出力された信号のＤＵ比を測定してもよい。
【００３９】
また、ＤＵ比をＳＮ比（Ｓｉｇｎａｌ  ｔｏ  Ｎｏｉｓｅ  ｒａｔｉｏ）に置き換えてもよい。
【００４０】
次に、制御部１５０は、第２スイッチ１３４及びアクティブフィルタ１３８がＯＦＦの状態における信号のＤＵ比と第２スイッチ１３４及びアクティブフィルタ１３８がＯＮの状態における信号のＤＵ比との差分を算出する。ここでいうＤＵ比の差分は、アンテナ１１０で受信した信号における第２スイッチ１３４及びアクティブフィルタ１３８がＯＦＦの状態の妨害信号のレベル（例えば、ＲＳＳＩ）と第２スイッチ１３４及びアクティブフィルタ１３８がＯＮの状態の妨害信号のレベル（例えば、ＲＳＳＩ）との差分に相当する。
【００４１】
次に、制御部１５０は、ＤＵ比の差分に応じて受信回路１３０から出力された信号の品質レベルを判定する。ＤＵ比の差分が第１所定値未満である場合に第１レベルとし、ＤＵ比の差分が第１所定値以上であって第２所定値未満である場合に第２レベル、ＤＵ比の差分が第２所定値以上であって第３所定値未満である場合に第３レベル、ＤＵ比の差分が第３所定値以上である場合に第４レベルとする。なお、第１所定値＜第２所定値＜第３所定値＜第４所定値とする。ここで、ＤＵ比の差分が小さいほど、妨害信号のレベルが小さいこととなるため、信号の品質は良いため、信号の品質レベルが高い順に第１レベル、第２レベル、第３レベル、第４レベルとなる。
【００４２】
なお、制御部１５０は、第２スイッチ１３４及びアクティブフィルタ１３８がＯＦＦの状態で、すなわち、アンテナ１１０で受信した信号がＩＦフィルタ１３５及びアクティブフィルタ１３８を経由させずに受信回路１３０から出力された信号のＤＵ比を測定し、測定したＤＵ比の値に応じて受信回路１３０から出力された信号がいずれの品質レベルに該当するかを判定してもよい。例えば、制御部１５０は、測定したＤＵ比が所定値以上である場合には、受信した信号の品質が第１レベルと判定してもよい。
【００４３】
また、制御部１５０は、第２スイッチ１３４及びアクティブフィルタ１３８がＯＦＦの状態で、すなわち、アンテナ１１０で受信した信号がＩＦフィルタ１３５及びアクティブフィルタ１３８を経由させずに受信回路１３０から出力された信号の波形を測定し、当該波形が正常な波形であるか否かを判定し、正常な波形であるか否かに応じて受信回路１３０から出力された信号がいずれの品質レベルに該当するかを判定してもよい。例えば、制御部１５０は、測定した波形が正常な波形であると判定した場合、信号の品質レベルが第１のレベルであると判定してもよい。なお、ここでいう正常な波形とは、波形のピークとそれ以外の部分との電圧値の差が所定値以上である波形をいう。また、制御部１５０は、第２スイッチ１３４及びアクティブフィルタ１３８がＯＮの状態で受信回路１３０から出力された信号の波形を測定し、当該波形と第２スイッチ１３４及びアクティブフィルタ１３８がＯＦＦの状態で測定された波形とを対比して、互いの波形の差に応じてＯＦＦの状態で測定された波形が正常であるか否かを判定してもよい。
【００４４】
また、制御部１５０は、受信回路１３０から出力された信号のＲＳＳＩを測定し、当該ＲＳＳＩが所定値以上であるか否かを判定する。当該ＲＳＳＩが所定の条件を満たすか否かに応じて受信回路１３０から出力された信号がいずれの品質レベルに該当するかを判定してもよい。所定の条件を満たす場合とは、例えば、当該ＲＳＳＩが所定値以上である場合や、当該ＲＳＳＩが、ＬＮＡ１３２が飽和する限界値から所定範囲内である場合である。なお、制御部１５０は、受信回路１３０から出力された信号のＲＳＳＩの測定を、中間周波数変換ＩＣ１３６において測定された信号のＲＳＳＩに基づいて行ってもよい。
【００４５】
制御部１５０は、受信回路１３０から出力された信号の品質レベルが第１レベルと判定すると、第２スイッチ及びアクティブフィルタ１３８に対してＯＦＦにするよう指示することで、以後、アンテナ１１０で受信した信号についてＩＦフィルタ１３５及びアクティブフィルタ１３８を経由させない状態とする。また、制御部１５０は、受信回路１３０から出力された信号の品質レベルが第２レベルであると判定すると、第２スイッチ１３４に対してＯＦＦにするよう指示すると共にアクティブフィルタ１３８に対してＯＮにするよう指示することで、アンテナ１１０で受信した信号についてＩＦフィルタ１３５を経由させない状態とし、アクティブフィルタ１３８を経由させる状態とする。また、制御部１５０は、受信回路１３０から出力された信号の品質レベルが第３レベルであると判定すると、第２スイッチ１３４に対してＯＮにするよう指示すると共にアクティブフィルタ１３８に対してＯＦＦにするよう指示することで、アンテナ１１０で受信した信号についてＩＦフィルタ１３５を経由させる状態としつつ、アクティブフィルタ１３８を通さない状態とする。また、制御部１５０は、受信回路１３０から出力された信号の品質レベルが第４レベルであると判定すると、第２スイッチ１３４及びアクティブフィルタ１３８に対してＯＮにするよう指示することで、アンテナ１１０で受信した信号についてＩＦフィルタ１３５及びアクティブフィルタ１３８を経由させる状態とする。
【００４６】
これによって、妨害信号が小さく品質の良い信号について極力フィルタを経由させないことで、変調精度の劣化を低減すると共に、妨害信号が大きく品質の悪い信号についてフィルタを経由させることで、通信エラーの発生も低減することができ、受信した信号の品質をより向上することができる。特に、ＩＦフィルタ１３５の方がアクティブフィルタ１３８に比べてその性質上（例えば、ＳＡＷフィルタによって構成されていることにより）、信号の変調精度をより大きく劣化する（ベクトルエラーを増大させる）ため、受信した信号の品質レベルが第２レベルの場合には、ＩＦフィルタ１３５を経由させず、アクティブフィルタ１３８を経由させることで、信号の変調精度の劣化を極力低減することができる。
【００４７】
さらに、制御部１５０は、受信回路１３０から出力された信号の変調精度の劣化が低減（ベクトルエラーが減少）することによって、より高速に通信することを可能とする変調方式（例えば、６４ＱＡＭ）を用いることができ、基地局２００との通信をより高速化することができる。
【００４８】
また、制御部１５０は、受信回路から出力された信号を復調する復調回路（検波回路）を設けていてもよい。
【００４９】
記憶部１６０は、例えば、メモリによって構成され、制御部１５０における制御に使用されるプログラム等を記憶する。また、記憶部１６０は、制御部１５０がＤＵ比に応じた受信回路１３０から出力された信号の品質レベルの判定に用いる第１所定値、第２所定値、第３所定値及び第４所定値を記憶する。
（第１実施例）
制御部１５０は、基地局２００との通信を開始する場合において、基地局２００と同期する際に制御チャネルの信号をアンテナ１１０により受信する。そして、制御部１５０は、アンテナ１１０で受信した信号について、第２スイッチ１３４及びアクティブフィルタ１３８がＯＦＦの状態における受信回路１３０に入力し、受信回路１３０から出力された信号のＤＵ比を測定し、当該信号の品質レベルを判定する。制御部１５０は、当該信号の品質レベルに応じて第２スイッチ１３４及びアクティブフィルタ１３８のＯＮ／ＯＦＦを制御する。
（第２実施例）
制御部１５０は、基地局２００との通信中に通信エラーを検出した場合（例えば、所定値以上のＦＥＲを検出）、受信回路１３０から出力された信号のＤＵ比を第２スイッチ及びアクティブフィルタ１３８がＯＦＦの状態及びＯＮの状態においてそれぞれ測定し、第２スイッチ及びアクティブフィルタ１３８がＯＦＦの状態のＤＵ比及びＯＮの状態のＤＵ比の差に基づいて当該信号の品質レベルを判定する。制御部１５０は、当該信号の品質レベルに応じて、第２スイッチ１３４及びアクティブフィルタ１３８のＯＮ／ＯＦＦを制御する。
（第３実施例）
制御部１５０は、基地局２００との通信を開始する場合若しくは基地局との通信中において、第２スイッチ１３４及びアクティブフィルタ１３８がＯＦＦの状態で、すなわちアンテナ１１０により受信した信号がＩＦフィルタ１３５及びアクティブフィルタ１３８を経由させずに受信回路１３０から出力された信号の波形を測定し、当該波形が正常な波形であるか否かを判定する。制御部１５０は、当該波形が正常な波形であるか否かに応じて受信回路１３０から出力された信号がいずれの品質レベルに該当するかを判定する。制御部１５０は、当該信号の品質レベルに応じて、第２スイッチ１３４及びアクティブフィルタ１３８のＯＮ／ＯＦＦを制御する。
（第４実施例）
制御部１５０は、基地局２００との通信を開始する場合若しくは基地局２００との通信中において、受信回路１３０から出力された信号のＲＳＳＩを測定し、当該ＲＳＳＩが所定値以上であるか否かを判定する。当該ＲＳＳＩが所定値以上であるか否かに応じて受信回路１３０から出力された信号がいずれの品質レベルに該当するかを判定する。制御部１５０は、当該信号の品質レベルに応じて、第２スイッチ１３４及びアクティブフィルタ１３８のＯＮ／ＯＦＦを制御する。
（第５実施例）
図３は、携帯電話機１００の回路の第２構成を示す図である。
【００５０】
携帯電話機１００は、ＴＯＰフィルタ１３１とＬＮＡ１３２との間にＡＴＴ（アッテネータ）１３９を備える。
【００５１】
ＡＴＴ１３９は、入力された信号を減衰させる減衰器であって、ＴＯＰフィルタ１３１から出力された信号を所定値だけ減衰させる。ここで、所定値とは、例えば１０ｄＢである。ＡＴＴ１３９は、制御部１５０からの指示に応じて、減衰させる所定値を変更する。
【００５２】
図４は、本発明の携帯電話機１００の第５実施例を示すシーケンス図である。以下に、図４におけるシーケンスに沿って、携帯電話機１００の動作を説明する。
【００５３】
制御部１５０は、基地局２００との通信開始時若しくは基地局２００との通信中において、アクティブフィルタ１３８をＯＦＦの状態で、受信回路１３０から出力された信号のＦＥＲ（フレームエラーレート）（１回目）を測定し（ステップＳ１）、その後、ＡＴＴ１３９の所定値を変更する（ステップＳ２）。具体的には、ＡＴＴ１３９の所定値を増加させる（例えば、０ｄＢから１０ｄＢに増加させる）。
【００５４】
次に、制御部１５０は、受信回路１３０から出力された信号のＦＥＲ（フレームエラーレート）（２回目）を測定し（ステップＳ３）、ＦＥＲ（１回目）及びＦＥＲ（２回目）を対比し、互いの差異を測定する（ステップＳ４）。
【００５５】
制御部１５０は、ＦＥＲ（１回目）及びＦＥＲ（２回目）がほぼ等しい、ほとんど差異がない場合には、アクティブフィルタ１３８をＯＦＦにする（ステップＳ５）。一方で、制御部１５０は、ＦＥＲ（１回目）及びＦＥＲ（２回目）の差異がある（例えば、差異が所定値より大きい）、例えば、ＦＥＲ（２回目）の方がＦＥＲ（１回目）より所定値以上小さくなっている場合には、アクティブフィルタ１３８をＯＮにする（ステップＳ６）。
【００５６】
従って、ＡＴＴ１３９の所定値を変化させることにより、ＦＥＲの値が小さくなるということは、ＡＴＴ１３９の所定値を変化させる前において、受信回路１３０から出力される信号にＬＮＡ１３２若しくはミキサ１３３により歪みが生じていることが推測され、その要因として妨害信号の存在が考えられるため、アクティブフィルタ１３８をＯＮにすることで、妨害信号を減衰させることにより信号の品質を向上できる。一方で、ＡＴＴ１３９の所定値を変化させても、ＦＥＲの値に変化がないということは、受信回路１３０から出力される信号に歪みが生じておらず、妨害信号がないと考えられるため、アクティブフィルタ１３８をＯＦＦにしておくことで信号の変調精度を向上することができる。
【００５７】
以上、本発明の実施形態について説明したが、本発明は前述した実施形態に限るものではない。また、本発明の実施形態に記載された効果は、本発明から生じる最も好適な効果を列挙したに過ぎず、本発明による効果は、前述の実施形態に記載されたものに限定されるものではない。
【００５８】
また、本発明の携帯無線機は、実施形態における携帯電話機１に限定されず、携帯型パソコン、デジタルカメラ、メディアプレイヤ、電子書籍リーダ、ナビゲータ、ゲーム機等の無線通信機能を有する携帯電子機器、無線通信機能に特化した通信専用モジュール、デスクトップパソコン、テレビ受像器等の据え置き型の無線通信機能を有する電子機器であってもよい。
【符号の説明】
【００５９】
１０  通信システム
１００  携帯電話機
１１０  アンテナ
１２０  第１スイッチ
１３０  受信回路
１３１  ＴＯＰフィルタ
１３２  ＬＮＡ
１３３  ミキサ
１３４  第２スイッチ
１３５  ＩＦフィルタ（第１フィルタ）
１３６  中間周波数変換ＩＣ
１３７  ミキサ
１３８  アクティブフィルタ（第２フィルタ）
１３９  ＡＴＴ
１４０  送信回路
１５０  制御部
１６０  記憶部
２００  基地局
【図１】
2015046831.tif 000003
【図２】
2015046831.tif 000004
【図３】
2015046831.tif 000005
【図４】
2015046831.tif 000006